(57)【特許請求の範囲】
【請求項１】
受信信号の複素包絡信号をＦＭ信号に変換して出力するＦＭ検波処理部と、
前記ＦＭ検波処理部により出力される前記ＦＭ信号の高域周波数成分を濾波して高域周波数信号を出力するハイパスフィルタ部と、
前記受信信号の複素包絡信号の信号レベルに応じて、前記ハイパスフィルタ部により出力される前記高域周波数信号に加算するための疑似信号を出力する信号レベル判定部と、
前記信号レベル判定部により出力された前記疑似信号と、前記高域周波数信号の大きさに関する値とを加算して、加算高域周波数信号を生成する疑似信号加算部と、
前記疑似信号加算部により生成された前記加算高域周波数信号の大きさと、予め設定された所定の閾値とを比較し、この比較結果に基づいて、前記受信信号の立ち上がりを検出する受信信号検出処理部とを備え、
前記疑似信号の大きさは、少なくとも前記所定の閾値以上である通信装置。
【請求項２】
前記受信信号をアナログデジタル変換して、前記受信信号の複素包絡信号を出力するＡ／Ｄ変換部を備え、
前記Ａ／Ｄ変換部は、
前記受信信号の大きさが当該Ａ／Ｄ変換部の最小入力レベルよりも小さい場合、信号レベル０の前記受信信号の複素包絡信号を出力し、
前記信号レベル判定部は、
前記受信信号の複素包絡信号の信号レベルが０の場合、少なくとも前記所定の閾値以上の大きさの前記疑似信号を出力し、
前記受信信号の複素包絡信号の信号レベルが０以外の場合、大きさ０の前記疑似信号を出力する請求項１に記載の通信装置。
【請求項３】
前記ハイパスフィルタ部により出力される前記高域周波数信号の大きさに関する値である高域周波数信号レベルを算出する高域周波数信号レベル算出部をさらに備え、
前記疑似信号加算部は、前記高域周波数信号レベルと、前記疑似信号とを加算して、前記加算高域周波数信号を生成する請求項１または２に記載の通信装置。
【請求項４】
前記疑似信号加算部により生成された前記加算高域周波数信号を平滑化するスムージング部をさらに備え、
前記受信信号検出処理部は、前記スムージング部により平滑化された前記加算高域周波数信号と、前記所定の閾値とを比較し、この比較結果に基づいて、前記受信信号の立ち上がりを検出する請求項３に記載の通信装置。
【請求項５】
前記受信信号検出処理部は、前記加算高域周波数信号の大きさと、前記所定の閾値とを比較し、この比較結果に基づいて、前記受信信号の消滅を検出する請求項１に記載の通信装置。
【請求項６】
受信信号の複素包絡信号をＦＭ信号に変換して出力するＦＭ検波処理部と、
前記ＦＭ検波処理部により出力される前記ＦＭ信号の高域周波数成分を濾波して高域周波数信号を出力するハイパスフィルタ部と、
前記受信信号の複素包絡信号の信号レベルに応じて、前記ハイパスフィルタ部により出力される前記高域周波数信号に加算するための疑似信号を出力する信号レベル判定部と、
前記信号レベル判定部により出力された前記疑似信号と、前記高域周波数信号の大きさに関する値とを加算して、加算高域周波数信号を生成する疑似信号加算部と、
前記疑似信号加算部により生成された前記加算高域周波数信号の大きさと、予め設定された所定の閾値とを比較し、この比較結果に基づいて、前記受信信号の立ち上がりを検出する受信信号検出処理部とを備え、
前記疑似信号の大きさは、少なくとも前記所定の閾値以上である受信信号検出装置。
【請求項７】
受信信号の複素包絡信号をＦＭ信号に変換して出力するステップと、
前記ＦＭ信号の高域周波数成分を濾波して高域周波数信号を出力するステップと、
前記受信信号の複素包絡信号の信号レベルに応じて、前記高域周波数信号に加算するための疑似信号を出力するステップと、
前記疑似信号と、前記高域周波数信号の大きさに関する値とを加算して、加算高域周波数信号を生成するステップと、
前記加算高域周波数信号の大きさと、予め設定された所定の閾値とを比較し、この比較結果に基づいて、前記受信信号の立ち上がりを検出するステップとを備え、
前記疑似信号の大きさは、少なくとも前記所定の閾値以上である受信信号検出方法。
【発明の詳細な説明】
【技術分野】
【０００１】
本発明は、通信装置、受信信号検出装置および受信信号検出方法に関し、例えば、受信信号の立ち上がり等を検出する技術に関する。
【背景技術】
【０００２】
近年、通信装置において、受信信号の立ち上がりを検出する技術として、ＦＭ検波処理後のＦＭ信号の低域周波数成分と高域周波数成分との差分値を用いるものが知られている（例えば、特許文献１）。すなわち、特許文献１に記載の技術では、まず、ＦＭ検波回路が受信信号のデジタル複素包絡信号をＦＭ検波処理によりＦＭ信号に変換する。次に、ハイパスフィルタ（High Pass Filter：ＨＰＦ）がＦＭ信号の高域周波数成分を濾波して高域周波数信号を取得する。また、ローパスフィルタ（Low Pass Filter：ＬＰＦ）がＦＭ信号の低域周波数成分を濾波して低域周波数信号を取得する。そして、立ち上がり検出処理回路が、ＦＭ信号の高域周波数成分と低域周波数成分との差分値と、所定の閾値とを比較して、受信信号の立ち上がりを検出する。
【０００３】
このとき、ＦＭ検波回路にて、無信号時には周波数特性が平坦で比較的高い信号レベルの白色雑音が検出され、信号到来時には立ち上がり波形や比較的低い信号レベルの音声波形が検出される。特に、信号到来時の立ち上がりの波形は、低域周波数側にエネルギーが集中する。特許文献１に記載の技術では、ＦＭ信号の低域周波数成分と高域周波数成分のエネルギー比が、無信号時と信号到来時とで異なることを利用して、受信信号の立ち上がりの瞬間を検出している。
【０００４】
また、特許文献２には、受信信号をＦＭ検波処理した後のＦＭ信号の高域周波数成分のみを用いて、ノイズ検出する技術が開示されている。すなわち、特許文献２に記載の技術では、まず、ＨＰＦが、ＦＭ検波回路により出力されるＦＭ信号から高域周波数成分を濾波する。次に、パルス検出器が、所定の閾値と比較して、当該所定の閾値以上のＦＭ信号の高域周波数成分を検出して出力する。
【０００５】
また、特許文献３には、受信信号のデジタル複素包絡信号をＦＭ検波して、立ち上がり時の周波数変動波形である特徴ベクトル波形を抽出し、この特徴ベクトル波形を用いて無線機の同定をする技術が記載されている。この特許文献３に記載の技術では、まず、フィルタを用いて、特定の周波数帯域外のデジタル複素包絡信号を除外する。また、特徴ベクトル波形を抽出する際に、受信信号エネルギーが所定の閾値以下である無効化期間を特定する。そして、当該無効化期間では、ＦＭ検波後の特徴ベクトルに替えて、値０の特徴ベクトルを用いて、無線機の同定をする。
【０００６】
さらに、参考技術として、プレストーク型の無線受信機に関する技術が特許文献４に開示されている。
【先行技術文献】
【特許文献】
【０００７】
【特許文献１】特開２００６−２１１２４１号公報
【特許文献２】特開平１−１０９９３２号公報
【特許文献３】特開２０１１−０９１７１２号公報
【特許文献４】特開平６−２９８８０号公報
【発明の概要】
【発明が解決しようとする課題】
【０００８】
しかしながら、特許文献１に記載の技術では、ＦＭ検波処理後に、ＨＰＦによりＦＭ信号の高域周波数成分を濾波する処理と、ＬＰＦによりＦＭ信号の低域周波数成分を濾波する処理とが必要となり、ハードウェアの規模が大きくなってしまうという問題があった。
【０００９】
また、ハードウェアの規模を小さくするために、特許文献２に記載される技術を適用して、ＦＭ信号の高域周波数成分のみを用いて、立ち上がり検出を行うことも考えられる。しかしながら、この場合、無信号時の雑音のレベルが小さいと、ＦＭ信号の高域周波数成分の電力は、無信号時と信号到来時とでレベル差が小さくなってしまい、受信信号の立ち上がりの検出処理が不安定になってしまうという問題があった。
【００１０】
特許文献３に記載の技術では、フィルタを用いて、特定の周波数帯域外のデジタル複素包絡信号を除外するが、ＨＰＦにより高域周波数成分を濾過している訳ではない。
【００１１】
本発明は、このような事情を鑑みてなされたものであり、その目的は、環境の変化に依存することなく、受信信号の立ち上がりの瞬間を簡単な構成で安定して正確に検出することができる技術を提供することにある。
【課題を解決するための手段】
【００１２】
本発明の通信装置は、受信信号の複素包絡信号をＦＭ信号に変換して出力するＦＭ検波処理部と、前記ＦＭ検波処理部により出力される前記ＦＭ信号の高域周波数成分を濾波して高域周波数信号を出力するハイパスフィルタ部と、前記受信信号の複素包絡信号の信号レベルに応じて、前記ハイパスフィルタ部により出力される前記高域周波数信号に加算するための疑似信号を出力する信号レベル判定部と、前記信号レベル判定部により出力された前記疑似信号と、前記高域周波数信号の大きさに関する値とを加算して、加算高域周波数信号を生成する疑似信号加算部と、前記疑似信号加算部により生成された前記加算高域周波数信号の大きさと、予め設定された所定の閾値とを比較し、この比較結果に基づいて、前記受信信号の立ち上がりを検出する受信信号検出処理部とを備え、前記疑似信号の大きさは、少なくとも前記所定の閾値以上である。
【００１３】
また、本発明の受信信号検出装置は、受信信号の複素包絡信号をＦＭ信号に変換して出力するＦＭ検波処理部と、前記ＦＭ検波処理部により出力される前記ＦＭ信号の高域周波数成分を濾波して高域周波数信号を出力するハイパスフィルタ部と、前記受信信号の複素包絡信号の信号レベルに応じて、前記ハイパスフィルタ部により出力される前記高域周波数信号に加算するための疑似信号を出力する信号レベル判定部と、前記信号レベル判定部により出力された前記疑似信号と、前記高域周波数信号の大きさに関する値とを加算して、加算高域周波数信号を生成する疑似信号加算部と、前記疑似信号加算部により生成された前記加算高域周波数信号の大きさと、予め設定された所定の閾値とを比較し、この比較結果に基づいて、前記受信信号の立ち上がりを検出する受信信号検出処理部とを備え、前記疑似信号の大きさは、少なくとも前記所定の閾値以上である。
【００１４】
また、本発明の受信信号検出方法は、受信信号の複素包絡信号をＦＭ信号に変換して出力するステップと、前記ＦＭ信号の高域周波数成分を濾波して高域周波数信号を出力するステップと、前記受信信号の複素包絡信号の信号レベルに応じて、前記高域周波数信号に加算するための疑似信号を出力するステップと、前記疑似信号と、前記高域周波数信号の大きさに関する値とを加算して、加算高域周波数信号を生成するステップと、前記加算高域周波数信号の大きさと、予め設定された所定の閾値とを比較し、この比較結果に基づいて、前記受信信号の立ち上がりを検出するステップとを備え、前記疑似信号の大きさは、少なくとも前記所定の閾値以上である。
【発明の効果】
【００１５】
本発明によれば、環境の変化に依存することなく、受信信号の立ち上がりの瞬間を簡単な構成で安定して正確に検出することができる。
【図面の簡単な説明】
【００１６】
【図１】本発明の第１の実施の形態における通信装置の構成を示す図である。
【図２】ＦＭ検波処理部でＦＭ検波処理されるＦＭ信号の無信号時および信号到来時の信号特性を示す図である。
【図３】信号レベル判定部および疑似信号加算部による効果を説明するための図である。
【図４】信号レベル判定部および疑似信号加算部による効果を説明するための図である。
【図５】信号レベル判定部および疑似信号加算部による効果を説明するための図である。
【図６】信号レベル判定部および疑似信号加算部による効果を説明するための図である。
【図７】本発明の第１の実施の形態における通信装置の動作フローを示す図である。
【図８】本発明の第１の実施の形態における通信装置の効果を説明するための図である。
【図９】本発明の第２の実施の形態における通信装置の構成を示す図である。
【図１０】本発明の第２の実施の形態における通信装置の動作フローを示す図である。
【発明を実施するための形態】
【００１７】
＜第１の実施の形態＞
本発明の第１の実施の形態における通信装置１０００について、図に基づいて説明する。
【００１８】
図１は、通信装置１０００の構成を示す。この通信装置１０００は、例えばプレストーク型通信機のように、断続した信号を送受信する装置であって、通信の相手側の通信装置から送信される信号の立ち上がりを検出することができるものである。
【００１９】
図１に示されるように、通信装置１０００は、アンテナ部１０と、受信部２０と、Ａ／Ｄ（Analog Digital：アナログ／デジタル）変換部３０と、受信信号検出装置５００とを含んで構成される。受信信号検出装置５００は、ＦＭ検波処理部４０と、ハイパスフィルタ（以下、ＨＰＦと称する。）部５０と、高域周波数信号レベル算出部６０と、信号レベル判定部７０と、疑似信号加算部８０と、スムージング部９０と、受信信号検出処理部１００とを含んで構成される。通信装置１０００は、本発明の通信装置に対応する。受信信号検出装置５００は、本発明の受信信号検出装置に対応する。
【００２０】
アンテナ部１０は、受信部２０に接続されており、所定の無線信号（例えば、周波数などで特定される。）に対応している。
【００２１】
受信部２０は、アンテナ部１０を介して無線信号を受信し、この無線信号に所定の受信処理（周波数変換等）をして、受信信号（中間周波数信号とも呼ばれる。）を生成する。そして、受信部２０は、受信信号をＡ／Ｄ変換部３０へ出力する。
【００２２】
Ａ／Ｄ変換部３０は、受信信号をアナログデジタル変換して、受信信号のデジタル複素包絡信号を生成して、これを受信信号検出装置５００へ出力する。なお、デジタル複素包絡信号は、本発明の複素包絡信号に対応する。ここで、一般的なＡ／Ｄ変換部３０は、当該Ａ／Ｄ変換部３０の最小入力レベル以下の受信信号に対して、Ａ／Ｄ変換することができない。このＡ／Ｄ変換部３０の最小入力レベルとは、Ａ／Ｄ変換部３０が受信信号（アナログ信号）をアナログデジタル変換することができる信号レベルの最小値をいう。このため、受信信号の大きさが当該Ａ／Ｄ変換部３０の最小入力レベルよりも小さい場合、Ａ／Ｄ変換部３０は、信号レベル０の受信信号のデジタル複素包絡信号を出力する。
【００２３】
ＦＭ検波処理部４０は、Ａ／Ｄ変換部３０により入力される受信信号のデジタル複素包絡信号をＦＭ信号に変換して出力する。
【００２４】
ＨＰＦ部５０は、ＦＭ検波処理部４０により出力されるＦＭ信号の高域周波数成分（例えば、３０〜４０ｋＨｚ）を濾波して高域周波数信号を出力する。なお、３０〜４０ｋＨｚは、ＦＭ信号の高域周波数成分の一例であって、これに限定されない。このとき、無信号時と信号到来時で電力差が生じるように、高域周波数成分を選択する必要がある。
【００２５】
高域周波数信号レベル算出部６０は、乗算器６１を含んで構成されている。この高域周波数信号レベル算出部６０は、ＨＰＦ部５０により出力される高域周波数信号の信号レベル（例えば電力信号のレベル）を高域周波数信号レベルとして算出し、この高域周波数信号レベルを疑似信号加算部８０へ出力する。なお、高域周波数信号レベルは、高域周波数信号の大きさに関する値である。ここでは、高域周波数信号の電力の２乗した値を、高域周波数信号レベルとする。ただし、高域周波数信号レベルは、高域周波数信号の大きさに関する値であればよく、高域周波数信号の電力の２乗した値に限定されない。例えば、高域周波数信号の電力の２乗した後、当該２乗値に対して平方根処理を行った値を、高域周波数信号レベルとしてもよい。この場合、高域周波数信号レベル算出部６０の出力は、電力信号のレベルではなく、包絡線信号のレベルとなる。
【００２６】
信号レベル判定部７０は、Ａ／Ｄ変換部３０により出力される受信信号のデジタル複素包絡信号の信号レベルに応じて、以下で説明する疑似信号を出力する。すなわち、疑似信号とは、ＨＰＦ部５０により出力される高域周波数信号に加算するために擬似的に生成される信号である。
【００２７】
この疑似信号を発生させる方法は、例えば、次の通りである。すなわち、コンピュータプログラムの乱数発生関数で一様に分布する乱数を発生させた後に、ボックスミューラー法を用いてガウス雑音を取得する。これにより、ガウス雑音を本発明の疑似信号として発生させることができる。また、予め一定の時間の疑似信号を生成して、これをメモリ（不図示）などに記憶しておき、メモリに記憶された疑似信号を繰り返し用いてもよい。この方法は、疑似信号を発生させる処理の際に生じる負荷を無くすことができるので、実用的である。
【００２８】
疑似信号加算部８０は、信号レベル判定部７０により出力された疑似信号と、高域周波数信号レベル算出部６０により出力された高域周波数信号レベルとを加算して、加算高域周波数信号を生成する。そして、疑似信号加算部８０は、加算高域周波数信号をスムージング部９０へ出力する。
【００２９】
スムージング部９０は、疑似信号加算部７０により出力された加算高域周波数信号を平滑化して、平滑後の加算高域周波数信号を受信信号検出処理部１００へ出力する。
【００３０】
受信信号検出処理部１００は、スムージング部９０により出力された加算高域周波数信号と、予め設定された所定の閾値とを比較する。また、受信信号検出処理部１００は、この比較結果に基づいて、受信信号の立ち上がりを検出する。
【００３１】
また、ここで、前述の信号レベル判定部７０は、より詳細には、Ａ／Ｄ変換部３０により出力された受信信号のデジタル複素包絡信号の信号レベルが０の場合と、０以外の場合とで、異なる疑似信号を出力する。すなわち、Ａ／Ｄ変換部３０により出力された受信信号のデジタル複素包絡信号の信号レベルが０の場合、信号レベル判定部７０は、少なくとも受信信号検出処理部１００で設定された所定の閾値以上の大きさの疑似信号を出力する。一方、受信信号のデジタル複素包絡信号の信号レベルが０以外の場合、信号レベル判定部７０は、大きさ０の疑似信号を出力する。
【００３２】
次に、ＦＭ検波処理部４０でＦＭ検波処理されるＦＭ信号の無信号時および信号到来時の信号特性について、図に基づいて説明する。図２は、ＦＭ検波処理部４０でＦＭ検波処理されるＦＭ信号の無信号時および信号到来時の信号特性を示す。
【００３３】
図２に示されるように、縦軸を高域周波数信号レベル（ｄＢ）、横軸を周波数（Ｈｚ）とする。図２では、サンプリング周波数８０Ｈｚのデジタル複素包絡信号に対して、ＦＭ検波処理部４０によりＦＭ検波処理を行い、ＦＭ信号の高域周波数領域（３０〜４０ｋＨｚ）のパワースペクトラムを測定した結果を例示している。なお、図２では、高域周波数信号の電力の２乗した値を、高域周波数信号レベルとして示している。
【００３４】
図２を参照すると、高域周波数信号レベルは、無信号時では高く、信号到来時では低いことがわかる。したがって、このような信号特性を利用して、高域周波数信号レベルが所定の閾値以下になった瞬間を信号の立ち上がりとして検出することができる。なお、図２で示した例では、高域周波数領域（３０〜４０ｋＨｚ）の測定結果を用いたが、これに限定されない。すなわち、無信号時と信号到来時で電力差が生じるように、高域周波数成分を選択すればよい。
【００３５】
次に、信号レベル判定部７０および疑似信号加算部８０による効果について、図を用いて説明する。図３〜図６は、信号レベル判定部７０および疑似信号加算部８０による効果を説明するための図である。図３および図４は、信号レベル判定部７０および疑似信号加算部８０を設けなかった場合を示す。図５および図６は、信号レベル判定部７０および疑似信号加算部８０を設けた場合を示す。
【００３６】
まず、図３および図４に基づいて、信号レベル判定部７０および疑似信号加算部８０を設けなかった場合について説明する。
【００３７】
図３（ａ）では、Ａ／Ｄ変換部３０に入力する雑音の信号レベルＮが、Ａ／Ｄ変換部３０の最小入力レベルＬよりも大きい状態を示す。図３（ｂ）は、図３（ａ）に示された関係を条件とした場合に、ＦＭ検波処理部４０およびＨＰＦ部５０を経て高域周波数信号レベル算出部６０から出力するＦＭ信号の高域周波数信号レベルを示す。
【００３８】
図３（ａ）および図３（ｂ）に示されるように、Ａ／Ｄ変換部３０に入力する雑音の信号レベルＮが、Ａ／Ｄ変換部３０の最小入力レベルＬよりも大きい場合、高域周波数信号レベルは、無信号時のレベルが信号到来時のレベルよりも高い。このため、無信号時と信号到来時の信号レベルの間に閾値を設定すれば、受信信号検出処理部１００は受信信号の立ち上がりを検出することができる。
【００３９】
図４（ａ）では、Ａ／Ｄ変換部３０に入力する雑音の信号レベルＮが、Ａ／Ｄ変換部３０の最小入力レベルＬよりも小さい状態を示す。図４（ｂ）は、図４（ａ）に示された関係を条件とした場合に、ＦＭ検波処理部４０およびＨＰＦ部５０を経て高域周波数信号レベル算出部６０から出力するＦＭ信号の高域周波数信号レベルを示す。
【００４０】
図４（ａ）および図４（ｂ）に示されるように、Ａ／Ｄ変換部３０に入力する雑音のレベルＮが、Ａ／Ｄ変換部３０の最小入力レベルＬよりも小さい場合、Ａ／Ｄ変換部３０は雑音信号を抽出することができない。このため、Ａ／Ｄ変換部３０から出力されるデジタル複素包絡信号の信号レベルは０となり、無信号時におけるＦＭ信号の高域周波数信号レベルは不安定となる。なお、この場合、後述するように、無信号時における高域周波数信号レベルは、一般的に０となるが、０をｄBスケールに変換すると−∞（ｄB）であり、図中に表現できなくなるため、図４（ｂ）では信号レベルを０（ｄB）として示した。
【００４１】
ここで、Ａ／Ｄ変換部３０により出力されるデジタル複素包絡信号の信号レベルが０になると、無信号時における高域周波数信号レベルが不定となることについて、式を用いて具体的に説明する。
【００４２】
デジタル複素包絡信号Ｓ（ｎ）は、同相成分をＩ（ｎ）、複素成分Ｑ（ｎ）とすると、（式１）のように表される。
0005880191.tif 000002
また、Ｓ（ｎ）の瞬時移相φ（ｎ）は、Ｑ（ｎ）をＩ（ｎ）で除算した値の逆正接であるので、（式２）のように表される。
0005880191.tif 000003
また、瞬時移相φ（ｎ）の変化量ｅＦＭ（ｎ）は、φ（ｎ）の一回微分値であり、（式３）のように表される。なお、ｅＦＭ（ｎ）は、ＦＭ検波信号とも呼ばれる。
0005880191.tif 000004
（式１）において、Ｓ（ｎ）＝０の場合、Ｉ（ｎ）＝Ｑ（ｎ）＝０となる。したがって、Ｓ（ｎ）＝０ときの瞬時移相φ（ｎ）は、０／０の逆正接となり、不定となる。この場合、ｅＦＭ（ｎ）も不定となる。
【００４３】
このように、Ａ／Ｄ変換部３０により出力されるデジタル複素包絡信号の信号レベルがＳ（ｎ）＝０になると、無信号時における高域周波数信号レベルが不安定となる。なお、Ｓ（ｎ）＝０の場合、φ（ｎ）＝０となることが多く、ｅＦＭ（ｎ）＝０となる。したがって、以降の記載では、Ｓ（ｎ）＝０の場合、ｅＦＭ（ｎ）＝０を出力するものとして説明する。φ（ｎ）が不定の場合については、詳しくは説明しないが、本発明の受信信号検出装置５００が正常に動作しないことは明らかである。
【００４４】
以上のように、ＦＭ検波処理部４０により出力されるＦＭ信号が０となる場合、当該ＦＭ信号の高域周波数信号レベルも０であり、ｄBスケールに変換すると−∞（ｄB）であるが、ここでは、図４（ｂ）に示されるように、高域周波数信号レベルが０（ｄB）となるものとして扱う。図４（ｂ）では、高域周波数信号レベルは、図３（ｂ）と異なり、無信号時の方が信号到来時よりも低くなる。
【００４５】
したがって、信号レベル判定部７０および疑似信号加算部８０を設けなかった場合に、ＦＭ検波処理部４０により出力されるＦＭ信号が０となった際には、前述の通り、当該ＦＭ信号の高域周波数信号レベルも０（ｄＢ）と扱うので、受信信号検出処理部１００が無信号時を信号到来時と誤って認識してしまい、受信信号の立ち上がりの瞬時を正しく検出できない。
【００４６】
次に、図５および図６に基づいて、信号レベル判定部７０および疑似雑音加算部４０を設けた場合について説明する。
【００４７】
図５（ａ）では、Ａ／Ｄ変換部３０に入力する雑音のレベルＮが、Ａ／Ｄ変換部３０の最小入力レベルＬよりも大きい状態を示す。図５（ｂ）は、図５（ａ）に示された関係を条件とした場合に、ＦＭ検波処理部４０、ＨＰＦ部５０を経て、高域周波数信号レベル算出部６０から出力されるＦＭ信号の高域周波数信号レベルに、信号レベル判定部７０により出力された疑似信号を加算して得られる加算高域周波数信号を示す。
【００４８】
図５（ａ）および図５（ｂ）に示されるように、Ａ／Ｄ変換部３０に入力する雑音の信号レベルＮが、Ａ／Ｄ変換部３０の最小入力レベルＬよりも大きい場合、高域周波数信号レベルは、無信号時のレベルが信号到来時のレベルよりも高い。
【００４９】
ここで、Ａ／Ｄ変換部３０に入力する雑音のレベルＮが、Ａ／Ｄ変換部３０の最小入力レベルＬよりも大きい場合、前述の通り、Ａ／Ｄ変換部３０は、受信信号をアナログデジタル変換することができるので、Ａ／Ｄ変換部３０により出力される受信信号のデジタル複素包絡信号の信号レベルが０以外となる。そして、ＦＭ検波処理部４０は、信号レベル０以外の受信信号のデジタル複素包絡信号に対してＦＭ検波処理を行うことになるため、ＦＭ検波処理部４０の出力は０とならない。また、前述の通り、受信信号のデジタル複素包絡信号の信号レベルが０以外の場合、信号レベル判定部７０は、大きさ０の疑似信号を出力する。したがって、加算高域周波数信号は、高域周波数信号レベル算出部７０から出力されるＦＭ信号の高域周波数信号レベルと同一となる。このように、Ａ／Ｄ変換部３０に入力する雑音の信号レベルＮが、Ａ／Ｄ変換部３０の最小入力レベルＬよりも大きい場合は、信号レベル判定部７０および疑似信号加算部８０を設けなかった場合（図３（ａ）および図３（ｂ）を参照。）と同様の特性を示す。このため、無信号時と信号到来時の信号レベルの間に閾値を設定すれば、受信信号の立ち上がりを正しく検出することができる。
【００５０】
図６（ａ）では、Ａ／Ｄ変換部３０に入力する雑音のレベルＮが、Ａ／Ｄ変換部３０の最小入力レベルＬよりも小さい状態を示す。図６（ｂ）は、図６（ａ）に示された関係を条件とした場合に、ＦＭ検波処理部４０、ＨＰＦ部５０を経て、高域周波数信号レベル算出部６０から出力されるＦＭ信号の高域周波数信号レベルに、信号レベル判定部７０により出力された疑似信号を加算して得られる加算高域周波数信号を示す。
【００５１】
ここで、Ａ／Ｄ変換部３０に入力する雑音のレベルＮが、Ａ／Ｄ変換部３０の最小入力レベルＬよりも小さい場合、Ａ／Ｄ変換部３０は、受信信号をアナログデジタル変換することができないので、Ａ／Ｄ変換部３０により出力される受信信号のデジタル複素包絡信号の信号レベルが０となる。そして、ＦＭ検波処理部４０は、信号レベル０の受信信号のデジタル複素包絡信号に対してＦＭ検波処理を行うことになるため、ＦＭ検波処理部４０の出力は０となる。しかしながら、本発明では、前述の通り、受信信号のデジタル複素包絡信号の信号レベルが０の場合、信号レベル判定部７０は、少なくとも受信信号検出処理部１００で設定された所定の閾値以上の大きさの疑似信号を出力する。したがって、加算高域周波数信号は、高域周波数信号レベル算出部６０から出力されるＦＭ信号の高域周波数信号レベルに、受信信号検出処理部１００で設定された所定の閾値以上の疑似信号を加算した信号となる。このため、加算高域周波数信号は、少なくとも、受信信号検出処理部１００で設定された所定の閾値以上の大きさとなる。これにより、図６（ａ）および図６（ｂ）に示されるように、Ａ／Ｄ変換部３０に入力する雑音の信号レベルＮが、Ａ／Ｄ変換部３０の最小入力レベルＬよりも小さい場合でも、受信信号検出処理部１００で設定された所定の閾値以上の疑似信号がＦＭ信号の高域周波数信号レベルに加算されるので、図４（ａ）および図４（ｂ）を用いて説明した場合と異なり、０（ｄＢ）とはならない。また、無信号時の加算高域周波数信号は、信号到来時の加算高域周波数信号よりも高くなる。これは、Ａ／Ｄ変換部３０に入力する雑音のレベルＮが、Ａ／Ｄ変換部３０の最小入力レベルＬよりも大きい状態（図５（ｂ）を参照。）と同様の特性となる。
【００５２】
このように、Ａ／Ｄ変換部３０に入力する雑音のレベルＮが、Ａ／Ｄ変換部３０の最小入力レベルＬよりも小さい場合であっても、信号レベル判定部７０および疑似信号加算部
８０を設けて、高域周波数信号レベル算出部６０から出力されるＦＭ信号の高域周波数信号レベルに、所定の閾値以上の疑似信号を加算することにより、加算高域周波数信号は、無信号時のレベルが信号到来時のレベルよりも高くなる。したがって、無信号時と信号到来時の信号レベルの間に閾値を設定すれば、受信信号の立ち上がりを検出することができる。
【００５３】
なお、図４および図６の説明では、本発明の技術内容を理解しやすいように、受信部２０の雑音の信号レベルが常にＡ／Ｄ変換部３０の最小入力レベルよりも小さい場合を例示して、受信信号の立ち上がり検出処理を説明した。実際に、雑音の信号レベルが低下して、Ａ／Ｄ変換部３０の最小入力レベルに近づいていく程に、受信信号の立ち上がり検出処理に異常が発生しやすくなる。すなわち、雑音の信号レベルが低下する程、Ａ／Ｄ変換部３０の最小入力レベルを下回る時間の割合が増加する。そして、この増加に伴って、高域周波数信号算出部６０からＦＭ検波処理部４０を介して出力されるＦＭ信号の高域周波数信号レベルが０（ｄB）となる割合が増加することになる。このため、スムージング部９０により平滑化された信号レベル（すなわち、受信信号検出処理部１００の入力）は、小さい値となり、信号レベルが信号到来時に近づいてしまう。
【００５４】
次に、本発明の第１の実施の形態における通信装置１０００の動作について、図に基づいて説明する。図７は、通信装置１０００の動作フローを示す。
【００５５】
受信部２０がアンテナ部１０を介して受信する信号を、中間周波数信号に周波数変換する。そして、図７に示されるように、Ａ／Ｄ変換部３０は、受信部２０により入力される中間周波数信号をＡ／Ｄ変換して、受信信号のデジタル複素包絡信号（受信信号の複素包絡信号）を生成する（Ｓ７０１）。そして、Ａ／Ｄ変換部２０は、受信信号のデジタル複素包絡信号をＦＭ検波処理部４０および信号レベル判定部７０へ出力する。
【００５６】
ＦＭ検波処理部４０は、デジタル複素包絡信号に対してＦＭ検波処理を行い、ＦＭ信号を生成する（Ｓ７０２）。そして、ＦＭ検波処理部４０は、ＦＭ信号をＨＰＦ部５０へ出力する。
【００５７】
ＨＰＦ部５０は、ＦＭ検波処理部４０により出力されるＦＭ信号のうち、高域周波数成分のみを濾波（ＦＭ検波処理）して、これを高域周波数信号として、高域周波数信号レベル算出部６０へ出力する（Ｓ７０３）。
【００５８】
高域周波数信号レベル算出部６０では、乗算器６１が高域周波数信号を２乗演算する（Ｓ７０４）。これにより、高域周波数信号レベル算出部６０は、高域周波数信号の大きさを示す高域周波数信号レベルを算出する。そして、高域周波数信号レベル算出部６０は、高域周波数信号レベルを疑似信号加算部８０へ出力する。なお、高域周波数信号レベルは、高域周波数信号の大きさに関する値であればよく、高域周波数信号の２乗した値に限定されないことは、前述した通りである。
【００５９】
信号レベル判定部７０は、Ａ／Ｄ変換部３０により出力されたデジタル複素包絡信号の信号レベルが０の場合と、０以外の場合とで、異なる疑似信号を出力する（Ｓ７０５）。Ａ／Ｄ変換部３０により出力された受信信号のデジタル複素包絡信号の信号レベルが０の場合、信号レベル判定部７０は、一定値（少なくとも受信信号検出処理部１００で設定された所定の閾値以上の大きさ）の疑似信号を出力する（Ｓ７０５、Ｙｅｓ）。一方、デジタル複素包絡信号の信号レベルが０以外の場合、信号レベル判定部７０は、大きさ０の疑似信号を出力する（Ｓ７０５、Ｎｏ）。
【００６０】
そして、疑似信号加算部８０は、信号レベル判定部７０により出力された疑似信号と、高域周波数信号レベル算出部６０により出力された高域周波数信号レベルとを加算して、加算高域周波数信号を生成する（Ｓ７０６）。
【００６１】
すなわち、Ａ／Ｄ変換部３０により出力された受信信号のデジタル複素包絡信号の信号レベルが０の場合には、疑似信号加算部８０は、高域周波数信号レベルと、一定値（少なくとも受信信号検出処理部１００で設定された所定の閾値以上の大きさ）の疑似信号とを加算して、加算高域周波数信号を生成する。受信信号のデジタル複素包絡信号の信号レベルが０のとき、高域周波数信号レベルも０となるので、疑似信号加算部８０は、結果的に、一定値の疑似信号と同一の信号を出力する。
【００６２】
一方、デジタル複素包絡信号の信号レベルが０以外の場合には、疑似信号加算部８０は、高域周波数信号レベルと、大きさ０の疑似信号とを加算して、加算高域周波数信号を生成する。そして、疑似信号加算部８０は、加算高域周波数信号をスムージング部９０へ出力する。この結果、疑似信号加算部８０は、高域周波数信号レベルと同一の信号を出力する。
【００６３】
スムージング部９０は、疑似信号加算部８０により出力された加算高域周波数信号を平滑化（スムージング処理）する（Ｓ７０７）。そして、スムージング部９０は、平滑化後の加算高域周波数信号を受信信号検出処理部１００へ出力する。
【００６４】
受信信号検出処理部１００は、次に説明するように、Ｓ７０８およびＳ７０９にて、受信信号の立ち上がりの検出を行う。
【００６５】
まず、受信信号検出処理部１００は、１つ前のサンプルについて、平滑化後の加算高域周波数信号と、予め設定された所定の閾値とを比較する（Ｓ７０８）。１つ前のサンプルについて、平滑化後の加算高域周波数信号が所定の閾値以上である場合（Ｓ７０８、Ｙｅｓ）、受信信号検出処理部１００は、現時点で受け取ったサンプルについて、平滑化後の加算高域周波数信号と、所定の閾値とを比較する（Ｓ７０９）。一方、１つ前のサンプルについて、平滑化後の加算高域周波数信号が所定の閾値以上でない場合（Ｓ７０８、Ｎｏ）、Ｓ７０１以降の処理を再び行う。
【００６６】
現時点で受け取ったサンプルについて、平滑化後の高域周波数信号レベルが所定の閾値以下である場合（Ｓ７０９、Ｙｅｓ）、受信信号検出処理部１００は、受信信号の立ち上がりの瞬時を検出したことを外部回路（不図示）に通知する（Ｓ７１０）。併せて、受信信号検出装置５００は、現時点で受け取ったサンプルについて、平滑化後の加算高域周波数信号をメモリ（不図示）に記録する。なお、このときに使用するメモリは、受信信号検出装置５００の外部回路であってもよい。一方、現時点で受け取ったサンプルについて、平滑化後の加算高域周波数信号が所定の閾値以下でない場合（Ｓ７０９、Ｎｏ）、Ｓ７０１以降の処理を再び行う。
【００６７】
このようにして、受信信号検出処理部１００は、１つ前のサンプルについて、平滑化後の加算高域周波数信号が所定の閾値以上である場合（Ｓ７０８、Ｙｅｓ）とともに、現時点で受け取ったサンプルについて、平滑化後の加算高域周波数信号が所定の閾値以下である場合（Ｓ７０９、Ｙｅｓ）に、その瞬間を受信信号の立ち上がりであると検出する。
【００６８】
そして、通信装置１０００は、以上のＳ７０１〜Ｓ７１０の処理を、デジタル複素包絡信号の１サンプルごとに繰り返し実行する。
【００６９】
以上の通り、本発明の第１の実施の形態における通信装置１０００は、ＦＭ検波処理部４０と、ＨＰＦ部５０と、信号レベル判定部７０と、疑似信号加算部８０と、受信信号検出処理部１００とを含んで構成されている。ＦＭ検波処理部４０は、受信信号の複素包絡信号をＦＭ信号に変換して出力する。ＨＰＦ部５０は、ＦＭ検波処理部４０により出力されるＦＭ信号の高域周波数成分を濾波して高域周波数信号を出力する。信号レベル判定部７０は、受信信号のデジタル複素包絡信号の信号レベルに応じて、ＨＰＦ部５０により出力される高域周波数信号に加算するための疑似信号を出力する。疑似信号加算部８０は、信号レベル判定部７０により出力された疑似信号と、高域周波数信号の大きさに関する値とを加算して、加算高域周波数信号を生成する。受信信号検出処理部１００は、疑似信号加算部８０により生成された加算高域周波数信号の大きさと、予め設定された所定の閾値とを比較し、この比較結果に基づいて、受信信号の立ち上がりを検出する。そして、疑似信号の大きさは、少なくとも所定の閾値以上である。
【００７０】
このように、本発明の第１の実施の形態における通信装置１０００では、ＦＭ検波処理部４０が、受信信号のデジタル複素包絡信号に対してＦＭ検波処理を行う。ＨＰＦ部５０は、ＦＭ検波処理部４０により生成されるＦＭ信号の高域周波数成分を濾波して、これを高域周波数信号として出力する。
【００７１】
ここで、ＦＭ検波処理部４０では、例えばフェージングなどの影響により入力信号の信号レベルが小さくなると、当該入力信号を検出できず、場合によって出力信号であるＦＭ信号の信号レベルが不定となったり、０となったりする。このような現象は、特に無信号時の時に顕著となる。すなわち、受信信号のデジタル複素包絡信号の信号レベルが０の場合、ＦＭ検波処理部４０は、信号レベル０の受信信号のデジタル複素包絡信号に対してＦＭ検波処理を行うことになるため、ＦＭ検波処理部４０の出力は０または不定となり、ＨＰＦ部５０により出力される高域周波数信号の出力も０または不定となる。
【００７２】
そこで、本発明では、信号レベル判定部７０および疑似信号加算部８０を設けることにより、受信信号のデジタル複素包絡信号の信号レベルが０の場合に、受信信号検出処理部１００に入力する信号が、当該受信信号検出処理部１００が受信信号の立ち上がりを検出するために予め設定された所定の閾値よりも必ず大きくなるように構成した。すなわち、受信信号のデジタル複素包絡信号の信号レベルが０の場合、信号レベル判定部７０が、少なくとも受信信号検出処理部１００で設定された所定の閾値以上の大きさの疑似信号を出力する。次に、疑似信号加算部８０が、ＨＰＦ部５０から出力される高域周波数信号の大きさに関する値（高域周波数信号レベル）に、信号レベル判定部７０により出力される疑似信号を加算して、加算高域周波数信号を生成する。この加算高域周波数信号は、高域周波数信号レベルに前記の疑似信号を加算した信号であるから、少なくとも、受信信号検出処理部１００で設定された所定の閾値以上の大きさとなる。このため、受信信号検出処理部１００に入力される加算高域周波数信号は、受信信号が無信号となった時でも、不定または０（ｄＢ）になることはない。したがって、受信信号検出処理部１００は、一定の大きさ以上の加算高域周波数信号を用いて、これと所定の閾値とを比較して、受信信号の立ち上がりを検出することができる。
【００７３】
この結果、第１の効果として、本発明の第１の実施の形態における通信装置１０００によれば、フェージングなど、環境の変化に依存することなく、受信信号の立ち上がりの瞬間を簡単な構成で安定して正確に検出することができる。本発明では、ＦＭ検波処理部４０にて包絡線情報を使用しないでＦＭ検波処理を行っているので、フェージングによる影響を受けにくい。また、ＦＭ検波処理による特徴的な性質として、ＳＮ（Signal Noise）比改善効果も作用する。
【００７４】
また、第２の効果として、本発明の第１の実施の形態における通信装置１０００によれば、特許文献１に記載の技術のように、ＨＰＦおよびＬＰＦの双方を設ける必要はなく、ハードウェア規模を簡単にすることができる。すなわち、特許文献１に記載の技術と比較して、より簡単な構成で、前記の第１の効果を得ることができる。特に、受信信号の低域周波数領域に対して濾波等の処理を行う部材を必要としないため、ハードウェア規模を低減することができる。また、例えば、濾波等の処理をコンピュータ上のソフトウェアにより行う場合であっても、受信信号の低域周波数領域に対して処理を行う必要はないので、演算量が低減する。これにより、特許文献１に記載の技術を利用した場合と比較して、より簡単な構成を有し安価なコンピュータを用いて、受信信号の立ち上がり検出処理を実現できる。なお、本発明では、特許文献１に記載の技術と比較して、信号レベル判定部７０および疑似信号加算部８０が追加されている。しかしながら、これら信号レベル判定部７０および疑似信号加算部８０の処理負荷は、特許文献１に記載のＬＰＦの処理負荷と比較して、著しく低い。これは、信号レベル判定部７０および疑似信号加算部８０は、１サンプルの入力信号につき、１回の判定処理と１回の加算処理を行うだけであるのに対して、ＬＰＦ等によるフィルタ処理は、１サンプルの入力信号につき、複数回の乗算および加算を行う必要があるためによる。
【００７５】
以上、第１の効果と第２の効果をまとめると、本発明の第１の実施の形態における通信装置１０００によれば、例えば、フェージングなど、環境の変化に依存することなく、受信信号の立ち上がりの瞬間を簡単な構成で安定して正確に検出することができる。
【００７６】
また、本発明の第１の実施の形態における通信装置１０００は、Ａ／Ｄ変換部３０をさらに備えてもよい。このＡ／Ｄ変換部３０は、受信信号をアナログデジタル変換して、受信信号のデジタル複素包絡信号を出力する。とくに、受信信号の大きさがＡ／Ｄ変換部３０の最小入力レベルよりも小さい場合、Ａ／Ｄ変換部３０は、信号レベル０の受信信号のデジタル複素包絡信号を出力する。また、信号レベル判定部７０は、Ａ／Ｄ変換部３０により出力される受信信号のデジタル複素包絡信号の信号レベルが０の場合、少なくとも、受信信号検出処理部１００で予め設定された所定の閾値以上の大きさの疑似信号を出力する。一方、Ａ／Ｄ変換部３０により出力される受信信号のデジタル複素包絡信号の信号レベルが０以外の場合、大きさ０の疑似信号を出力する。なお、このＡ／Ｄ変換部３０の最小入力レベルは、前述の通り、Ａ／Ｄ変換部３０が受信信号（アナログ信号）をアナログデジタル変換することができる信号レベルの最小値をいう。また、Ａ／Ｄ変換部３０の最小入力レベルは、アナログデジタル変換を行う前のアナログ信号時における値である。
【００７７】
このように、受信信号の大きさがＡ／Ｄ変換部３０の最小入力レベルＬよりも小さい場合、Ａ／Ｄ変換部３０は、信号レベル０の受信信号のデジタル複素包絡信号を出力する。このとき、前述の通り、ＦＭ検波処理部４０は、信号レベル０の受信信号のデジタル複素包絡信号に対してＦＭ検波処理を行うことになるため、ＦＭ検波処理部４０の出力は０または不定となり、ＨＰＦ部５０により出力される高域周波数信号の出力も０または不定となる。そこで、本発明では、Ａ／Ｄ変換部３０により出力される受信信号のデジタル複素包絡信号の信号レベルが０の場合、信号レベル判定部７０は、少なくとも、受信信号検出処理部１００で予め設定された所定の閾値以上の大きさの疑似信号を出力するようにした。これにより、疑似信号加算部８０から出力される加算高域周波数信号は、高域周波数信号レベルに前記の疑似信号を加算した信号となるから、少なくとも、受信信号検出処理部１００で設定された所定の閾値以上の大きさとなる。このため、受信信号検出処理部１００に入力される加算高域周波数信号は、受信信号が無信号となった時でも、不定または０になることはない。一方、Ａ／Ｄ変換部３０により出力される受信信号のデジタル複素包絡信号の信号レベルが０以外の場合、信号レベル判定部７０は、大きさ０の疑似信号を出力するようにした。これにより、疑似信号加算部８０から出力される加算高域周波数信号は、高域周波数信号レベルと同一となる。このように、受信信号の大きさがＡ／Ｄ変換部３０の最小入力レベルＬよりも小さい場合であっても、受信信号検出処理部１００で予め設定された所定の閾値以上の大きさの疑似信号を高域周波数信号レベルに加算することによって、加算高域周波数信号のレベルは、無信号時のレベルが信号到来時のレベルよりも高くなる。これにより、無信号時と信号到来時の信号レベルの間に閾値を設定すれば、受信信号の立ち上がりを検出することができる。この結果、環境の変化に依存することなく、受信信号の立ち上がりの瞬間を簡単な構成で、より安定してより正確に検出することができる。
【００７８】
また、さらなる効果として、本発明の第１の実施の形態における通信装置１０００によれば、受信部２０およびＡ／Ｄ変換部３０の間の受信信号の信号レベルを調整するためのコストを削減できる。これは、本発明では、疑似信号加算部８０が、ＦＭ検波処理部４０により出力される信号に擬似信号を加算するので、Ａ／Ｄ変換部３０の最小入力レベルを、受信部２０の受信信号中の雑音の信号レベルに合わせて調整する必要がなくなるためである。特に、受信部２０により出力される雑音の信号レベルは、経年変化や温度変化などの影響を受け易いため、Ａ／Ｄ変換部３０の最小入力レベルを、受信部２０の受信信号中の雑音の信号レベルに合わせて適切に調整することは、非常に難しい。本発明では、前述のように、擬似信号加算部８０が、ＦＭ検波処理部４０により出力される信号に、受信信号検出処理部１００が受信信号の立ち上がりを検出できるように、所定の閾値以上の擬似信号を加算するので、このような問題も解決できる。
【００７９】
また、本発明の第１の実施の形態における通信装置１０００によれば、有効なダイナミックレンジを拡大することができる。図８は、通信装置１０００の効果を説明するための図である。図８（ａ）は、信号レベル判定部７０および擬似信号加算部８０を設けなかった場合のダイナミックレンジを示す図である。一方、図８（ｂ）は、信号レベル判定部７０および擬似信号加算部８０を設けた場合のダイナミックレンジを示す図である。
【００８０】
図８（ａ）および図８（ｂ）に示されるように、Ａ／Ｄ変換部３０には、最小入力レベルＬと最大入力レベルＨが設定されている。なお、Ａ／Ｄ変換部３０の最小入力レベルＬは、前述の通り、Ａ／Ｄ変換部３０が受信信号（アナログ信号）をアナログデジタル変換することができる信号レベルの最小値をいう。また、Ａ／Ｄ変換部３０の最大入力レベルＨは、Ａ／Ｄ変換部３０が受信信号（アナログ信号）をアナログデジタル変換することができる信号レベルの最大値をいう。また、Ｎは、前述の通り、Ａ／Ｄ変換部３０により生成されるデジタル複素包絡信号の雑音成分を表す。
【００８１】
図８（ａ）に示されるように、信号レベル判定部７０および擬似信号加算部８０を設けなかった場合、受信信号検出処理部１００にレベル０の信号が入力されないようにするために、雑音Ｎの信号レベルの最小値に合わせて、Ａ／Ｄ変換部３０の最小入力レベルＬを設定する必要がある。このため、図８（ａ）に示されるように、有効なダイナミックレンジＤＬ１が制限され、狭くなる。
【００８２】
これに対して、信号レベル判定部７０および擬似信号加算部８０を設けた場合、仮にＡ／Ｄ変換部３０からレベル０の信号が出力されたとしても、疑似信号加算部８０がＦＭ検波処理部４０の出力に、受信信号検出処理部１００で予め設定された所定の閾値以上の大きさの疑似信号を加算して、加算高域周波数信号を出力する。したがって、加算高域周波数信号は、高域周波数信号レベルに前記の疑似信号を加算した信号となるから、少なくとも、受信信号検出処理部１００で設定された所定の閾値以上の大きさとなる。このため、図８（ｂ）に示されるように、雑音Ｎの信号レベルの最小値によりも小さいレベルに、Ａ／Ｄ変換部３０の最小入力レベルＬを設定することができる。これにより、図８（ｂ）に示されるように、有効なダイナミックレンジＤＬ２が広くすることができる（ＤＬ２＞ＤＬ１）。
【００８３】
以上のように、本発明の第１の実施の形態における通信装置１０００によれば、信号レベル判定部７０および擬似信号加算部８０を設けたことにより、有効なダイナミックレンジを拡大することができる。
【００８４】
本発明の第１の実施の形態における通信装置１０００は、高域周波数信号レベル算出部６０をさらに備える。この高域周波数信号レベル算出部６０は、ＨＰＦ部５０により出力される高域周波数信号の大きさに関する値である高域周波数信号レベルを算出する。そして、疑似信号加算部８０は、高域周波数信号レベル算出部６０により算出された高域周波数信号レベルと、疑似信号と加算して、前記加算高域周波数信号を生成する。
【００８５】
これにより、高域周波数信号レベル算出部６０は、高域周波数信号の大きさに関する値として、自然数である高域周波数信号レベルを出力する。したがって、受信信号検出処理部１００は、自然数を用いて所定の閾値を簡単に設定することができる。また、予め設定する所定の閾値に合わせて、高域周波数信号レベル算出部６０の構成を設定することができるので、設計の自由度を増すことができる。
【００８６】
本発明の第１の実施の形態における通信装置１０００は、スムージング部９０をさらに備える。このスムージング部９０は、疑似信号加算部８０により生成された加算高域周波数信号を平滑化する。そして、受信信号検出処理部１００は、スムージング部９０により平滑化された加算高域周波数信号と、所定の閾値とを比較し、この比較結果に基づいて、受信信号の立ち上がりを検出する。これにより、異質な信号レベルを無くした後に、受信信号検出処理部１００を用いて、受信信号の立ち上がり検出を行うことができる。
【００８７】
＜第２の実施の形態＞
本発明の第２の実施の形態における通信装置１０００Ａについて、図に基づいて説明する。
【００８８】
図９は、通信装置１０００Ａの構成を示す。図９に示されるように、通信装置１０００Ａは、受信信号検出処理装置５００Ａを含んで構成されている。この受信信号検出処理装置５００Ａは、ＦＭ検波処理部４０と、ＨＰＦ部５０と、信号レベル判定部７０と、疑似信号加算部８０と、受信信号検出処理部１００とを含んで構成される。なお、図９では、図１で示した各構成要素と同等の構成要素には、図１に示した符号と同等の符号を付している。
【００８９】
ここで、図１と図９を対比する。図１では、通信装置１０００は、アンテナ部１０と、受信部２０と、Ａ／Ｄ変換部３０と、高域周波数信号レベル算出部６０と、スムージング部９０とを有しているのに対して、図９では、通信装置１０００Ａは、これらの構成を有さない点で相違する。
【００９０】
ＦＭ検波処理部４０は、受信信号検出装置５００Ａに入力される受信信号のデジタル複素包絡信号をＦＭ信号に変換して出力する。なお、デジタル複素包絡信号は、本発明の複素包絡信号に相当する。
【００９１】
ＨＰＦ部５０は、ＦＭ検波処理部４０により出力されるＦＭ信号の高域周波数成分を濾波して高域周波数信号を出力する。
【００９２】
信号レベル判定部７０は、受信信号検出装置５００Ａに入力される受信信号のデジタル複素包絡信号の信号レベルに応じて、疑似信号を出力する。この疑似信号とは、ＨＰＦ部５０により出力される高域周波数信号に加算するために擬似的に生成した信号である。
【００９３】
疑似信号加算部８０は、信号レベル判定部７０により出力された疑似信号と、ＨＰＦ部５０により出力された高域周波数信号の大きさに関する値とを加算して、加算高域周波数信号を生成する。
【００９４】
受信信号検出処理部１００は、疑似信号加算部８０により生成された加算高域周波数信号の大きさと、予め設定された所定の閾値とを比較する。また、受信信号検出処理部１００は、この比較結果に基づいて、受信信号の立ち上がりを検出する。
【００９５】
そして、前述の疑似信号の大きさは、少なくとも、受信信号検出処理部１００に予め設定された所定の閾値以上に設定されている。
【００９６】
次に、本発明の第２の実施の形態における通信装置１０００Ａの動作について、図に基づいて説明する。図１０は、通信装置１０００Ａの動作フローを示す。なお、図１０において、Ｓ９０２、Ｓ９０３、Ｓ９０５、Ｓ９０６、Ｓ９０８〜Ｓ９１０は、図７のＳ７０２、Ｓ７０３、Ｓ７０５、Ｓ７０６、Ｓ７０８〜Ｓ７１０に対応する。
【００９７】
まず、ＦＭ検波処理部４０は、受信信号検出装置５００Ａに入力される受信信号のデジタル複素包絡信号に対してＦＭ検波処理を行い、ＦＭ信号を生成する（Ｓ９０２）。そして、ＦＭ検波処理部４０は、ＦＭ信号をＨＰＦ部５０へ出力する。
【００９８】
ＨＰＦ部５０は、ＦＭ検波処理部４０により出力されるＦＭ信号のうち、高域周波数成分のみを濾波（ＦＭ検波処理）して、これを高域周波数信号として、疑似信号加算部８０へ出力する（Ｓ９０３）。
【００９９】
信号レベル判定部７０は、受信信号検出装置５００Ａに入力されるデジタル複素包絡信号の信号レベルが０の場合と、０以外の場合とで、異なる疑似信号を出力する（Ｓ９０５）。すなわち、受信信号検出装置５００Ａに入力されるデジタル複素包絡信号の信号レベルが０の場合、信号レベル判定部７０は、一定値（少なくとも受信信号検出処理部１００で設定された所定の閾値以上の大きさ）の疑似信号を出力する（Ｓ９０５、Ｙｅｓ）。一方、デジタル複素包絡信号の信号レベルが０以外の場合、信号レベル判定部７０は、大きさ０の疑似信号を出力する（Ｓ９０５、Ｎｏ）。
【０１００】
次に、疑似信号加算部８０は、信号レベル判定部７０により出力された疑似信号と、ＨＰＦ部５０により出力された高域周波数信号の大きさに関する値とを加算して、加算高域周波数信号を生成する（Ｓ９０６）。すなわち、受信信号検出装置５００Ａに入力されるデジタル複素包絡信号の信号レベルが０の場合には、疑似信号加算部８０は、高域周波数信号の大きさに関する値と、一定値（少なくとも受信信号検出処理部１００で設定された所定の閾値以上の大きさ）の疑似信号とを加算して、加算高域周波数信号を生成する。一方、デジタル複素包絡信号の信号レベルが０以外の場合には、疑似信号加算部８０は、高域周波数信号の大きさに関する値と、大きさ０の疑似信号とを加算して、加算高域周波数信号を生成する。そして、疑似信号加算部８０は、加算高域周波数信号を受信信号検出処理部１００へ出力する。
【０１０１】
受信信号検出処理部１００は、次に説明するように、Ｓ９０８およびＳ９０９にて、受信信号の立ち上がりの検出を行う。
【０１０２】
まず、受信信号検出処理部１００は、１つ前のサンプルについて、加算高域周波数信号と、予め設定された所定の閾値とを比較する（Ｓ９０８）。１つ前のサンプルについて、加算高域周波数信号が所定の閾値以上である場合（Ｓ９０８、Ｙｅｓ）、受信信号検出処理部１００は、現時点で受け取ったサンプルについて、加算高域周波数信号と、所定の閾値とを比較する（Ｓ９０９）。一方、１つ前のサンプルについて、加算高域周波数信号が所定の閾値以上でない場合（Ｓ９０８、Ｎｏ）、Ｓ９０２以降の処理を再び行う。
【０１０３】
現時点で受け取ったサンプルについて、高域周波数信号レベルが所定の閾値以下である場合（Ｓ９０９、Ｙｅｓ）、受信信号検出処理部１００は、受信信号の立ち上がりの瞬時を検出したことを外部回路（不図示）に通知する（Ｓ９１０）。併せて、受信信号検出装置５００は、現時点で受け取ったサンプルについて、加算高域周波数信号をメモリ（不図示）に記録する。なお、このときに使用するメモリは、受信信号検出装置５００Ａの外部回路であってもよい。一方、現時点で受け取ったサンプルについて、加算高域周波数信号が所定の閾値以下でない場合（Ｓ９０９、Ｎｏ）、Ｓ９０２以降の処理を再び行う。
【０１０４】
このようにして、受信信号検出処理部１００は、１つ前のサンプルについて、加算高域周波数信号が所定の閾値以上である場合（Ｓ９０８、Ｙｅｓ）とともに、現時点で受け取ったサンプルについて、加算高域周波数信号が所定の閾値以下である場合（Ｓ９０９、Ｙｅｓ）に、その瞬間を受信信号の立ち上がりであると検出する。
【０１０５】
そして、通信装置１０００は、以上のＳ９０２〜Ｓ９１０の処理を、デジタル複素包絡信号の１サンプルごとに繰り返し実行する。
【０１０６】
以上の通り、本発明の第１の実施の形態における通信装置１０００Ａは、ＦＭ検波処理部４０と、ＨＰＦ部５０と、信号レベル判定部７０と、疑似信号加算部８０と、受信信号検出処理部１００とを含んで構成されている。ＦＭ検波処理部４０は、受信信号の複素包絡信号をＦＭ信号に変換して出力する。ＨＰＦ部５０は、ＦＭ検波処理部４０により出力されるＦＭ信号の高域周波数成分を濾波して高域周波数信号を出力する。信号レベル判定部７０は、受信信号の複素包絡信号の信号レベルに応じて、ＨＰＦ部５０により出力される高域周波数信号に加算するための疑似信号を出力する。疑似信号加算部８０は、信号レベル判定部７０により出力された疑似信号と、高域周波数信号の大きさに関する値とを加算して、加算高域周波数信号を生成する。受信信号検出処理部１００は、疑似信号加算部８０により生成された加算高域周波数信号の大きさと、予め設定された所定の閾値とを比較し、この比較結果に基づいて、受信信号の立ち上がりを検出する。そして、疑似信号の大きさは、少なくとも所定の閾値以上である。
【０１０７】
これにより、前述した本発明の第１の実施の形態における通信装置１０００と同様の効果を奏する。
【０１０８】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【０１０９】
前述の実施の形態の説明（特に、図７および図１０の説明）では、デジタル複素包絡信号の１サンプルごとに、各処理を繰り返し実行すると説明した。しかしながら、デジタル複素包絡信号の複数のサンプルごとに、各処理を繰り返し実行してもよい。
【０１１０】
また、前述の実施の形態の説明（特に、図７および図１０）では、受信信号検出処理部１００は、１つ前のサンプルについて、高域周波数信号の大きさ（高域周波数信号レベル）が所定の閾値以上である場合とともに、現時点で受け取ったサンプルについて、高域周波数信号の大きさ（高域周波数信号レベル）が所定の閾値以下である場合に、受信信号の立ち上がりを検出していた。しかしながら、これとは逆に、１つ前のサンプルについて、高域周波数信号の大きさ（高域周波数信号レベル）が所定の閾値以下である場合とともに、現時点で受け取ったサンプルについて、高域周波数信号の大きさ（高域周波数信号レベル）が所定の閾値以上である場合に、受信信号が消滅した瞬時であると検出する検出機能を、受信信号検出処理部１００に設けてもよい。
【符号の説明】
【０１１１】
１０  アンテナ部
２０  受信部
３０  Ａ／Ｄ変換部
４０  ＦＭ検波処理部
５０  ＨＰＦ部
６０  高域周波数信号レベル算出部
７０  信号レベル判定部
８０  疑似信号加算部
９０  スムージング部
１００  受信信号検出処理部
５００、５００Ａ  受信信号検出装置
１０００、１０００Ａ  通信装置
【図１】
0005880191.tif 000005
【図２】
0005880191.tif 000006
【図３】
0005880191.tif 000007
【図４】
0005880191.tif 000008
【図５】
0005880191.tif 000009
【図６】
0005880191.tif 000010
【図７】
0005880191.tif 000011
【図８】
0005880191.tif 000012
【図９】
0005880191.tif 000013
【図１０】
0005880191.tif 000014